(57)【要約】【課題】サイズの変更が容易な捕獲用檻を提供すること。【解決手段】捕獲檻を縦横の比が略２：１の４枚の長方形パネル２ａ，２ｂと、長方形パネル２ａ，２ｂの半分の大きさの２枚の正方形パネル３ａ，３ｂとによって構成する。そそて、長方形パネル２ａ，２ｂによって筒状体７を形成し、同筒状体７の前後に形成される方形開口部８に対して正方形パネル３ａ，３ｂをそれぞれ配置するに際し、奥側に正方形パネル３ｂを配置して方形開口部８塞ぐとともに、手前側に正方形パネル３ａを扉として配置する。内部に動物が侵入した際にトラップが外れると扉としての正方形パネル３ａが案内枠５に沿って落下して動物を捕獲する。【選択図】        図２
0003102045.tif 000002
【実用新案登録請求の範囲】
【請求項１】
柵状のパネルを立体的に組み合わせて外部と遮断された箱形状を構成し、そのうちの側方に面した所定のパネルを昇降可能な扉として選択し、常時は同扉を上部の開放位置に保持するとともに内部に侵入した捕獲対象となる動物が所定位置に仕掛けられたトラップに干渉した際に同扉を自重で落下させて閉鎖し動物を捕獲するようにした捕獲檻において、
前記パネルを縦横の比が略２：１の４枚の第１の方形パネルと、同第１の方形パネルの略半分の大きさの２枚の第２の方形パネルとによって構成し、同各第１の方形パネルの長手方向縁部を隣接する同第１の方形パネルの長手方向縁部と突き合わせ同各第１の方形パネル同士をそれぞれ隣接する同第１の方形パネルと直交状に配置させ着脱可能な連結部材にて連結して筒状体を形成し、同筒状体の前後に形成される方形開口部に対して前記第２の方形パネルをそれぞれ配置するに際し、いずれか一方の同第２の方形パネルをいずれか一方の方形開口部に着脱可能な連結部材で連結して塞ぐとともに、いずれか他方の同第２の方形パネルを前記扉としていずれか他方の同方形開口部に面して立設させた昇降枠に沿って昇降するようにしたことを特徴とする捕獲檻。
【請求項２】
前記４枚の第１の方形パネルと前記２枚の第２の方形パネルとを１セットとして同３セットを１組とし、そのうちの計１２枚の第１の方形パネルを各３枚ずつ連結部材によって長手方向に連結して壁体を構築し、同壁体の長手方向縁部を隣接する同壁体の長手方向縁部と突き合わせ同壁体同士をそれぞれ隣接する同壁体と直交状に配置させ着脱可能な連結部材にて連結して筒状体を形成するようにしたことを特徴とする請求項１に記載の捕獲檻。
【考案の詳細な説明】
【技術分野】
【０００１】
本考案は動物を捕獲するための捕獲用檻に関するものである。
【背景技術】
【０００２】
従来からイノシシ、シカ、サル等の主として野生動物を捕獲するために捕獲檻が提案されている。一般に捕獲檻は柵状のパネルを箱状に組み立て、その一面を侵入口として昇降可能な扉を設けるように構成されている。そして、動物が捕獲檻に侵入すると仕掛けられたトラップが作動して例えば扉を吊り上げているロープのロックが外れて上部位置に保持されている扉が落下し、動物は檻に閉じこめられることとなる。
このような捕獲用檻は捕えようとする動物の大きさによっていくつかのサイズを用意しなければならない。例えば角があるシカはイノシシと比べるとかなり体高が高いため大きめの檻を用意する必要がある。
【考案の開示】
【考案が解決しようとする課題】
【０００３】
しかしながら、いくつもの種類の檻を用意するのはコストが嵩み、それらを保管するスペースも必要となる。
本考案は、このような従来の技術に存在する問題点に着目してなされたものである。その目的とするところは、サイズの変更が容易な捕獲用檻を提供することにある。
【課題を解決するための手段】
【０００４】
上記の目的を達成するために請求項１に記載の考案では、柵状のパネルを立体的に組み合わせて外部と遮断された箱形状を構成し、そのうちの側方に面した所定のパネルを昇降可能な扉として選択し、常時は同扉を上部の開放位置に保持するとともに内部に侵入した捕獲対象となる動物が所定位置に仕掛けられたトラップに干渉した際に同扉を自重で落下させて閉鎖し動物を捕獲するようにした捕獲檻において、前記パネルを縦横の比が略２：１の４枚の第１の方形パネルと、同第１の方形パネルの略半分の大きさの２枚の第２の方形パネルとによって構成し、同各第１の方形パネルの長手方向縁部を隣接する同第１の方形パネルの長手方向縁部と突き合わせ同各第１の方形パネル同士をそれぞれ隣接する同第１の方形パネルと直交状に配置させ着脱可能な連結部材にて連結して筒状体を形成し、同筒状体の前後に形成される方形開口部に対して前記第２の方形パネルをそれぞれ配置するに際し、いずれか一方の同第２の方形パネルをいずれか一方の方形開口部に着脱可能な連結部材で連結して塞ぐとともに、いずれか他方の同第２の方形パネルを前記扉としていずれか他方の同方形開口部に面して立設させた昇降枠に沿って昇降するようにしたことをその要旨とする。
請求項２に記載の発明では請求項１に記載の発明の構成に加え、前記４枚の第１の方形パネルと前記２枚の第２の方形パネルとを１セットとして同３セットを１組とし、そのうちの計１２枚の第１の方形パネルを各３枚ずつ連結部材によって長手方向に連結して壁体を構築し、同壁体の長手方向縁部を隣接する同壁体の長手方向縁部と突き合わせ同壁体同士をそれぞれ隣接する同壁体と直交状に配置させ着脱可能な連結部材にて連結して筒状体を形成するようにしたことをその要旨とする。
【０００５】
このような構成では、縦横の比が略２：１の４枚の第１の方形パネルと、同第１の方形パネルの略半分の大きさの２枚の第２の方形パネル及び昇降枠のセットを連結部材で連結し、所定のトラップを併設することで基本となる捕獲檻（以下、ベース檻とする）を構築することができる。
一方、このようなセットを複数組用意して組み合わせることで、大型の捕獲檻（以下、大型檻とする）を構築することができる。理論的には多数のセットを組み合わせて極めて大型の檻を構築することも可能ではあるが、ベース檻で例えばタヌキやイノシシを捕獲するとしたならば、我が国で捕獲できる大型の動物としてはせいぜいシカやクマ程度であるため現実には大型檻は上記ベース檻用の部材を２セットあるいはより好ましくは３セットを１組として組み合わせて構築することとなる。
ベース檻では第１の方形パネルの長手方向縁部を隣接する第１の方形パネルの長手方向縁部と突き合わせ各第１の方形パネル同士をそれぞれ隣接する第１の方形パネルと直交状に配置させ着脱可能な連結部材にて連結して筒状体を形成するようにしている。これによって第１の方形パネルはその短手方向に筒状体の方形開口部が形成されるように配置される（つまり側面視をした場合において第１の方形パネルを寝かせるように使う）こととなる。
しかし、大型檻では例えば図４に示すように第１の方形パネルはその長手方向に方形開口部が形成されるように配置される（つまり側面視をした場合において第１の方形パネルを立てるように使う）こととなる。そして、複数の第１の方形パネルの長手方向縁部を隣接する同第１の方形パネルの長手方向縁部と突き合わせ第１の方形パネルを組み合わせてなる大きな壁体を構築し、それら４枚の大きな壁体によって大型の筒状体を形成するようにしている。つまり、ベース檻の筒状体に比較して２倍の高さ及び幅となる大型の筒状体を形成することができる。壁体は３枚の第１の方形パネルを長手方向に連結して構築することが好ましい。尚、これら部材の連結は着脱可能な連結部材を使用する。
構成された大型の筒状体の前後にはベース檻の方形開口部の縦横の辺を２倍にした面積で４倍となる大型の方形開口部が形成される。大型の方形開口部には残った第２の方形パネル及び／又は逐次追加される第１又は第２の方形パネルを配置する。但し、他のパネルを用意してもよい。尚、これら部材の連結は着脱可能な連結部材を使用する。そして、大型の方形開口部のいずれか一方を扉とする。
【考案の効果】
【０００６】
上記各請求項の考案では、１種類の捕獲檻を複数保有しておけば、状況に応じて大型の捕獲檻を組み立てることが可能となるため、いくつもの種類の檻を用意する必要がなくコストが削減できる。
【考案を実施するための最良の形態】
【０００７】
以下、本考案の捕獲檻を具体化した実施の形態を図面に基づいて説明する。
図１に示すように、捕獲檻１は第１の方形パネルとしての４枚の長方形パネル２ａ〜２ｄと、第２の方形パネルとしての２枚の正方形パネル３ａ，３ｂと、昇降枠４を構成部材として備えている。４枚の長方形パネル２ａ〜２ｄは鉄筋を縦横に組んで溶接した柵状のパネル体である。そのうち、捕獲檻１の底に使用される長方形パネル２ｄは他の３枚よりも目が粗く構成されている。長方形パネル２ａ〜２ｄの外形は長手方向長さ：短手方向長さ＝２：１の比率とされている。２枚の正方形パネル３ａ，３ｂも鉄筋を縦横に組んで溶接した柵状のパネル体である。正方形パネル３ａ，３ｂの外形は長方形パネル２ａ〜２ｄの短手方向長さと同じである。昇降枠４は左右に立設された断面コ字状の鋼材からなる案内枠５と同両案内枠５の上端を連結する断面円形の連結梁６から構成されている。両案内枠５の間隔はちょうど正方形パネル３ａ，３ｂの一辺（つまり長方形パネル２ａ〜２ｄの短手方向長さ）と一致する。
【０００８】
図２及び図３に示すように、上記４枚の長方形パネル２ａ〜２ｄ、２枚の正方形パネル３ａ，３ｂ及び昇降枠４を立体的に組み合わせることによって捕獲檻１が構築される。同図に示すように、４枚の長方形パネル２ａ〜２ｄの長手方向縁部を隣接するパネル２ａ〜２ｄの長手方向縁部と突き合わせるとともに隣接するパネル２ａ〜２ｄ同士を直交状に配置する。各パネル２ａ〜２ｄは連結部材としてのワイヤーグリップ１０によって連結される。これによって筒状体７が構築される。
筒状体７の前後には正方形の開口部８が形成される。前方の（図２では手前側）開口部８には昇降枠４がＵボルト９によって固着される。昇降枠４の左右の案内枠５間には正方形パネル３ａが上下方向に移動可能に嵌合される。正方形パネル３ａは本捕獲檻１における扉とされる。後方の（図２では奥側）開口部８にはワイヤーグリップ１０によって正方形パネル３ｂが固着される。
【０００９】
次に、このように構築される捕獲檻１におけるトラップ機構について簡単に説明する。  図２及び図３に示すように、扉としての正方形パネル３ａの上部には第１のロープ１１の基端が連結される。第１のロープ１１の先端には環１２が形成されている。一方、後部に配置された正方形パネル３ｂの上部には第２のロープ１３の基端が連結される。第２のロープ１３の先端にも環１４が形成されている。図３に示すように扉（正方形パネル３ａ）が上部位置に配置される場合、つまりトラップを仕掛ける状態では第１のロープ１１は連結梁６を半周し後方斜め下方に向かって延出され、第２のロープ１３は前方斜め上方に向かって延出される。そして両ロープ１１，１３先端の重複した環１２，１４内にフック１５が挿入される。つまり、扉（正方形パネル３ａ）はフック１５を介して両ロープ１１，１３によって後方から牽引されることとなる。フック１５は両ロープ１１，１３間に介在された状態でバンド１６によって第２のロープ１３に仮固定される。バンド１６からはトラップライン１７が後方に延出され後部の正方形パネル３ｂから下降させられ、更に下部寄りで捕獲檻１内部に導かれ底パネル（長方形パネル２ｄ）上に配置された図示しないトラッブプレートに接続される。
このようなトラップ機構によって、内部に侵入した動物がトラッブプレートを踏む等するとトラップライン１７が引かれてフック１５からバンド１６が外れ、そのためフック１５自体も外れる。これによってロープ１１への牽引力がなくなり扉（正方形パネル３ａ）は自重で落下する。そして内部に侵入している動物は捕獲されることとなる。
【００１０】
次に、このような捕獲檻１の構成部材を３セット使用して大型捕獲檻２１を構築する場合について説明する。
ベース檻としての捕獲檻１では筒状体７を構成するために図２等に示すように４枚の長方形パネル２ａ〜２ｄを長手方向で接続して構成していた。これに対して大型檻としての大型捕獲檻２１では３つの捕獲檻１セットを使用するため、計１２枚の長方形パネル２ａ〜２ｄを用意することができる。正方形パネル３ａ，３ｂは計６枚とされる。
図４に示すように、筒状体２２を構築するため各面を３枚の長方形パネル２ａ〜２ｄを長手方向で接続して大型の長方形壁体２３を構築し、これら長方形壁体２３の長手方向縁部を隣接する長方形壁体２３の長手方向縁部と突き合わせるとともに隣接する長方形壁体２３同士を直交状に配置する。これらの連結は上記と同様ワイヤーグリップ１０によって行う。尚、底面は長方形パネル２ｄを使用するのが好ましいが、他の面においては特に長方形パネル２ａ〜２ｃを区別することはない。
このようにして構成された筒状体２２の前後には正方形の開口部２５が形成される。この開口部２５は単体の捕獲檻１の開口部８の縦横をそれぞれ２倍に拡大した大きさとなる。そして、図４に示すように、２つの昇降枠４を前方側開口部２５（図４では手前側）に面しするようにＵボルト９によって固着し、両昇降枠４の左右の案内枠５間にそれぞれ１枚ずつ正方形パネル３ａを嵌合させる。後方の（図２では奥側）開口部８には２枚をワイヤーグリップ１０によって連結した正方形パネル３ａ，３ｂを２セット（つまり４枚の正方形パネル３ａ，３ｂ）をワイヤーグリップ１０によって固着する。
尚、２つの昇降枠４の前面の上部寄りにはそれぞれ補助パネル２７が図示しないボルトによって固着される。これは開口部２５が大きくなったため正方形パネル３ａを扉とした場合落下位置において上方に大きく隙間が開いてしまうこととなる。そこで、補助パネル２７を配設してこの隙間を狭くし捕獲した動物が逃げ出さないようにするものである。
このように構築された大型捕獲檻２１においても上記単体の捕獲檻１と同様にトラップ機構を装着して使用する。
【００１１】
このように構成することで捕獲檻１（大型捕獲檻２１）は次のような効果を奏する。
（１）捕獲檻１を複数（ここでは３セット）用意すれば、大型の捕獲檻をわざわざ用意しなくともよく、コストの削減となる。
（２）捕獲檻１は常時は分解して格納でき、複数セットを用意しても嵩張ることがなく場所をとることがない。
（３）特に捕獲檻１の構成部材を３セット使用することですべてのパネルを無駄なく使用でき、効率的である。
【００１２】
尚、この考案は、次のように変更して具体化することも可能である。
・上記大型捕獲檻２１は３セットの獲檻１を１組として使用したが、２セットあるいは４セットで構築しても構わない。
・長方形パネル２ａ〜２ｄの縦横のサイズは２：１の比率がもっとも好ましいが若干比率が異なっても構わない。
・正方形パネル３ａ，３ｂは収まりからすれば正方形形状がもっとも好ましいが正確に正方形である必要はない。
・連結部材としては上記ではＵボルト９やワイヤーグリップ１０を使用したが、その他の手段であっても構わない。
・その他、パネルの材質は鉄筋以外の材であってもよい等本考案の趣旨を逸脱しない態様で実施することは自由である。
【図面の簡単な説明】
【００１３】
【図１】本考案の実施の形態の捕獲檻の構成部材の平面図。
【図２】同じ捕獲檻の斜視図。
【図３】同じ捕獲檻の側断面図。
【図４】同じ捕獲檻の構成部材を３セット使用して構築した大型捕獲檻の斜視図。
【符号の説明】
【００１４】
１…捕獲檻、２ａ〜２ｄ…第１の方形パネルとしての長方形パネル、３ａ，３ｂ…第２の方形パネルとしての正方形パネル、４…昇降枠、９…連結部材としてのＵボルト、１０…連結部材としてのワイヤーグリップ、２１…大型捕獲檻、２３…壁体。
【図１】
0003102045.tif 000003
【図２】
0003102045.tif 000004
【図３】
0003102045.tif 000005
【図４】
0003102045.tif 000006